(57)【要約】【課題】  家庭内で安心して使用でき、軽量で温熱作用が効率的な温灸器を提供する。【解決手段】中央に直径約４ｃｍの貫通孔が形成され、底面にアーチ形凹部が形成された立方体と、この立方体の２つが間隔及び相互傾斜角度を可変に連結された帯状の連結片と、鋼線を折り曲げ加工して上端に前記貫通孔の開口縁より大径のリング部を有し、このリング部の端から上方へ突出した取手が形成され、下方端にＵ字型の艾保持部が形成されたＶ字型スパイラル鋼線とから成り、前記Ｖ字型スパイラル鋼線はリング部により前記貫通孔の開口縁へ係止して装填された温灸器。【選択図】  図１
0003120367.tif 000002
【実用新案登録請求の範囲】
【請求項１】
中央に直径約４ｃｍの貫通孔が形成され、底面にアーチ形凹部が形成された立方体と、この立方体の２つが両者の間隔及び相互傾斜角度を可変として連結されるようにした帯状の連結片と、
鋼線を折り曲げ加工して上端に前記貫通孔の開口縁より大径のリング部が設けられ、このリング部の端から上方へ突出した取手が形成され、下方端にＵ字型の艾保持部が形成されたＶ字型スパイラル鋼線とから成り、
前記Ｖ字型スパイラル鋼線はリング部により前記貫通孔の開口縁へ係止して装填されたことを特徴とする温灸器。
【請求項２】
立方体がコルクのような耐熱性で軽量な素材で成型されたものであることを特徴とする請求項１記載の温灸器。
【請求項３】
貫通孔へ装填されたＶ字型スパイラル鋼線の艾保持部が、立方体の底面にあるアーチ形凹部の上方に位置するよう配置されたことを特徴とする請求項１記載の温灸器。
【請求項４】
帯状の連結片は、２つの立方体外周をそれぞれ挟持するスナップ部と延長部とから成り、延長部で互いに重なり合いボルトとナットにより２つの立方体の間隔又は相互傾斜角度が調節できるよう固定されたことを特徴とする請求項１記載の温灸器。
【請求項５】
一辺をおよそ１１ｃｍとし、高さをおよそ６ｃｍとしたコルク製の立方体を設け、この立方体の中央に直径約４ｃｍの貫通孔を形成し、底面にアーチ形凹部を形成し、
鋼線を折り曲げ加工して上端に前記貫通孔の開口縁より大径のリング部を設け、このリング部の端から上方へ突出した取手を形成し、下方端にＵ字型の艾保持部を形成してなるＶ字型スパイラル鋼線を設け、
前記Ｖ字型スパイラル鋼線はリング部によって前記貫通孔の開口縁へ係止して装填されたことを特徴とする温灸器。
【考案の詳細な説明】
【技術分野】
【０００１】
本考案は艾を用いる温灸器に関する。
【背景技術】
【０００２】
従来から外周に複数個の空気孔を有する有底筒型の容器を用いた温灸器がある。又空気を送風して艾の薫蒸ガスを噴射するようにした温灸器が提供されている。
【特許文献１】特開２００１−２９３０６１号公報      温灸器
【特許文献２】実用新案登録第３１１６２９３号        灸器
【考案の開示】
【考案が解決しようとする課題】
【０００３】
解決しようとする問題点は、従来の温灸器は艾によって温熱効果を与える範囲が狭く、極少数の経穴に当たる範囲に限られていた点である。また温灸器として大掛かりな装置を備えることにより、家庭において又個人的に使用して温熱作用を受けるには不便とした点である。
【０００４】
本考案では、簡潔な装置により個人が安全且つ安心して取り扱うことができ、艾の燃焼に必要な空気を十分に提供できると共にＶ字型スパイラル鋼線の着脱が容易であり、温熱的刺激を適宜に緩和しながら経穴周縁に広く作用することができ、効果的に温熱作用を発揮できる温灸器を提供しようとするものである。
【課題を解決するための手段】
【０００５】
第１考案は中央に直径約４ｃｍの貫通孔が形成され、底面にアーチ形凹部が形成された立方体と、この立方体の２つが両者の間隔及び相互傾斜角度を可変として連結されるようにした帯状の連結片と、鋼線を折り曲げ加工して上端に前記貫通孔の開口縁より大径のリング部が設けられ、このリング部の端から上方へ突出した取手が形成され、下方端にＵ字型の艾保持部が形成されたＶ字型スパイラル鋼線とから成り、前記Ｖ字型スパイラル鋼線はリング部により前記貫通孔の開口縁へ係止して装填された温灸器である。
【０００６】
第２考案では、立方体がコルクのような耐熱性で軽量な素材で成型されたものである。
【０００７】
第３考案では、貫通孔へ装填されたＶ字型スパイラル鋼線の艾保持部が、立方体の底面にあるアーチ形凹部の上方に位置するよう配置されている。
【０００８】
第４考案では、帯状の連結片は、２つの立方体外周をそれぞれ挟持するスナップ部と延長部とから成り、延長部で互いに重なり合いボルトとナットにより２つの立方体の間隔又は相互傾斜角度が調節できるよう固定されている。
【０００９】
第５考案では、一辺をおよそ１１ｃｍとし、高さをおよそ６ｃｍとしたコルク製の立方体を設け、この立方体の中央に直径約４ｃｍの貫通孔を形成し、底面にアーチ形凹部を形成し、鋼線を折り曲げ加工して上端に前記貫通孔の開口縁より大径のリング部を設け、このリング部の端から上方へ突出した取手を形成し、下方端にＵ字型の艾保持部を形成してなるＶ字型スパイラル鋼線を設け、前記Ｖ字型スパイラル鋼線はリング部によって前記貫通孔の開口縁へ係止して装填されている。
【００１０】
（作用）
第１考案では、２つの立方体と、帯状の連結片と、Ｖ字型スパイラル鋼線との３点からなる簡潔な温灸器であるので、２つの立方体により温熱作用を広く設定することができ、取扱いが便利で安全に家庭内で使用することができる。
２つの立方体にはそれぞれ中央に直径約４ｃｍの貫通孔が形成され、この貫通孔へＶ字型スパイラル鋼線を装填するのが便利で且つ着脱自在であり、装填後は空気の流通が良く艾の燃焼が効果的である。
【００１１】
２つの立方体にはそれぞれ底面にアーチ形凹部があるので、温熱作用をしたい腹部その他の経穴に十分作用するよう眼部やへそ部その他の身体へぴったり合うと共に安定して設定できる。さらに２つの立方体の間隔を調節して経穴その他の患部に当たる位置に合わせて固定することができ、両者の相互傾斜角度を可変とするので、個人的に変化のある身体への設置が容易である。
【００１２】
Ｖ字型スパイラル鋼線は、上端に前記立方体の貫通孔より大径のリング部と上方へ突出した取手が形成されており、下方端にＵ字型の艾保持部が形成されているので、スパイラルの空間と貫通孔によって空気の流通が良く、艾保持部に取り付けられた艾を安定して、完全燃焼させることができる。
【００１３】
Ｖ字型スパイラル鋼線はリング部で前記貫通孔の開口縁へ係止され、上端には取手があるので、着脱が容易であり、取手は上方へ突出しているので艾の燃焼熱が伝わることなく安全である。
【００１４】
第２考案では、立方体がコルクのような耐熱性で軽量な素材で成型されているので、取扱いが便利であり、家庭内での使用に適し、持ち運びも容易になっている。
【００１５】
第３考案では、貫通孔へ装填されたＶ字型スパイラル鋼線の艾保持部が、立方体の底面にあるアーチ形凹部の上方に位置するよう配置されているので、着火された艾の温熱作用が貫通孔と身体までの距離により適宜緩和して伝えられるので、薬用効果が最適となった。
【００１６】
第４考案では、帯状の連結片は、２つの立方体外周に密着するスナップ部と延長部とから成り、延長部で互いに重なり合いボルトとナットにより固定されているので、２つの立方体間の間隔及び相互傾斜角度を身体に合わせて適宜変えることができる。
さらに帯状のスナップ部は、立方体の外周を挟持しているが、若干の移動ができるので立方体の位置や方向を変えることもできる。
【００１７】
第５考案では、一辺をおよそ１１ｃｍとし、高さをおよそ６ｃｍとしたコルク製の立方体として丁度手で持って身体へ設定し易く、軽量であるので身体に設置しても重量感がなく取り扱いに便利である。
【考案の効果】
【００１８】
本考案では、２つの立方体と、帯状の連結片と、Ｖ字型スパイラル鋼線との３点からなる簡潔な温灸器であり、眼の炎症や白内障、かすみ目、老化予防として温熱作用を与えたり、へそ周辺に設定し内臓疾患に有効に施灸することができるようになった。
【００１９】
立方体中央の貫通孔にＶ字型スパイラル鋼線が着脱自在に装填され、空気の流通が良いので艾が十分燃焼され、神経痛や胃腸病の内臓疾患その他の経穴部分を広く加温し薬効が十分に発揮できるようになった。
【００２０】
使用に当たっては、着火した艾を艾保持部に取り付ければよく、立方体のアーチ型凹部の上方位置にあり、艾が落下することなく温熱作用が十分付与できるようになった。アーチ型凹部は、個性的にそれぞれ異なる身体にも馴染み易く取り扱いが便利である。
【００２１】
また一辺をおよそ１１ｃｍとし、高さをおよそ６ｃｍとしたコルク製の立方体を用いる場合、軽量で取り扱い易く、個人的に自由に簡単に取り扱うことができ、へそ周辺の内臓疾患に対する温熱作用に最適である。
【考案を実施するための最良の形態】
【００２２】
本考案は実施例１に示すように、中央に直径約４ｃｍの貫通孔を有する立方体を２連に連結し、それぞれにＶ字型スパイラル鋼線を装填して、経穴その他適宜身体に設置することができる他、実施例２に示すように１１ｃｍ角で高さを約６ｃｍとする立方体を用いることもできる。
【００２３】
２連とした立方体は一辺を約６ｃｍ角とした大きさが取り扱いに便利である。また中央の貫通孔は直径約４ｃｍであり、Ｖ字型スパイラル鋼線を着脱自在に装填でき、家庭内で安心して使用することができる。
【００２４】
立方体がコルクのような耐熱性で軽量な素材で成型されていると、極めて軽量であり、身体の要所に適宜設定できる。立方体の底面に形成したアーチ型凹部は身体に馴染み易くなっている。
以下実施例として示した図面に従い説明する。
【実施例１】
【００２５】
図１は、２連に連結した立方体の平面図、図２は側面図である。１は立方体でおよそ６ｃｍ角の大きさにした。２は貫通孔で、立方体の中央で直径約４ｃｍ垂直方向に形成されている。３はＶ字型スパイラル鋼線、４は帯状の連結片である。５はアーチ型凹部で、立方体の底面に形成されている。
【００２６】
図３は縦断面図で、Ｖ字型スパイラル鋼線３の係止状態を示す。Ｖ字型スパイラル鋼線３は、鋼線を折り曲げ加工して、上端には前記立方体１の貫通孔２の上端開口縁より大径のリング部６が形成され、このリング部の端から上方へ突出した取手７が形成され、下方端にＵ字型の艾保持部８が形成され、スパイラルに下方へ延びて全体ではＶ字型スパイラルになっている。
【００２７】
帯状の連結片４は、２つの立方体１，１を連結するもので、立方体１の外周をそれぞれ挟持するようコ字形に屈曲したスナップ部９と一辺を伸ばした延長部１０とから成り、２つの立方体からの延長部１０が重なりあった部分で、ボルト１１とナット１２により固定されている。スナップ部９では、立方体１の外周を挟持しているが、それぞれ若干の移動が可能となっている。
【００２８】
図４に示すように、ボルトとナットにより延長部１０が固定されているので、ナットの挿入孔を複数個設けたり、横長に形成することにより、２つの立方体の間隔を調節できる。２つの立方体の相互傾斜角度を変更して身体になじみ易い角度にセットすることもできる。
【００２９】
Ｖ字型スパイラル鋼線の下端に形成した艾保持部は、立方体の底面に形成したアーチ型凹部よりも上部に位置するよう設置したので、身体への温熱作用が適宜緩和され、直接肌に艾が当たらないので火傷をすることもなく、安全に温熱作用を発揮できるようになった。
図５は斜視図である。
【実施例２】
【００３０】
図６から図８は、実施例２を示す。一辺をおよそ１１ｃｍとし、高さをおよそ６ｃｍとしたコルク製の立方体１３を設け、この立方体の中央に直径約４ｃｍの貫通孔１４を形成し、底面にアーチ形凹部１５を形成した。
【００３１】
鋼線を折り曲げ加工して上端に前記貫通孔の開口縁より大径のリング部１６を設け、このリング部の端から上方へ突出した取手１７を形成し、下方端にＵ字型の艾保持部１８を形成してなるＶ字型スパイラル鋼線１９を設けた。
前記Ｖ字型スパイラル鋼線１９はリング部１６で前記貫通孔１４の開口縁へ係止して立方体へ装填される。
【００３２】
図８は縦断面図で、２０は艾を示す。
Ｖ字型スパイラル鋼線の構成及び設置状態は、実施例１の場合と同様である。
【産業上の利用可能性】
【００３３】
家庭で個人的にＶ字型スパイラル鋼線に艾を取り付けて、目やへそ周辺の腹部や経穴の当たるようセットして利用できるので、艾による温熱作用を十分に発揮することができ、軽量で火傷の心配もなく安心して使用できるので、温熱療養や医療に貢献するところが大きい。
【図面の簡単な説明】
【００３４】
【図１】２連にした実施例１の温灸器を示す平面図。
【図２】同側面図。
【図３】同縦断面図。
【図４】２つの立方体の傾斜角度を変更した例の側面図。
【図５】２連の温灸器の斜視図。
【図６】実施例２の温灸器の平面図。
【図７】同底面図。
【図８】同縦断面図。
【符号の説明】
【００３５】
１、１３：立方体  
２、１４：貫通孔
３、１９：Ｖ字型スパイラル鋼線
４      ：連結片
５、１５：アーチ型凹部  
６、１６：リング部
７、１７：取手
８、１８：艾保持部
９      ：スナップ部
１０    ：延長部
１１    ：ボルト
１２    ：ナット
２０    ：艾
【図１】
0003120367.tif 000003
【図２】
0003120367.tif 000004
【図３】
0003120367.tif 000005
【図４】
0003120367.tif 000006
【図５】
0003120367.tif 000007
【図６】
0003120367.tif 000008
【図７】
0003120367.tif 000009
【図８】
0003120367.tif 000010